(57)【要約】【課題】  容易、かつ、安定して取り付けることが可能な棚板支持具を提供する。【解決手段】  ラックの支柱１１に装着される取り付け部材１２を介して取り付けられる棚板支持具１であり、縦方向断面形状がコ字型である取り付け基部２とその取り付け基部２に連続一体の棚板支持部４とを備え、取り付け基部２が取り付け部材１２に外嵌め装着される状態で固定されて取り付けられる。【選択図】図１
0003168934.tif 000002
【実用新案登録請求の範囲】
【請求項１】
ラックの支柱に装着される取り付け部材を介して取り付けられる棚板支持具であり、
縦方向断面形状がコ字型である取り付け基部とその取り付け基部に連続一体の棚支持部とを備え、前記取り付け基部が前記取り付け部材に外嵌め装着される状態で固定されて取り付けられることを特徴とする棚板支持具。
【請求項２】
前記取り付け基部と前記棚板支持部とが折れ曲がり形状で連続し、上半部と下半部とが互いに線対称形状である請求項１記載の棚板支持具。
【請求項３】
前記取り付け基部と前記棚板支持部とが折れ曲がり形状で連続し、その折れ曲がり位置の近傍に前記支柱の角部に合致する位置決め用角部を備えることを特徴とする請求項１または２記載の棚板支持具。
【請求項４】
縦方向断面形状がコ字型の鋼材が折り曲げられて形成され、その一方が前記取り付け基部とされその他方が前記棚板支持部とされてなる請求項１、２または３記載の棚板支持具。
【考案の詳細な説明】
【技術分野】
【０００１】  この考案は、各種ラックにおいて使用される棚板支持具に関する。
【背景技術】
【０００２】  倉庫内等においてはラックが並設され、その棚板上に多くの物品が載置収納される。通常この種のラックは水平枠と柱とが連結されて立体的に構成され、その水平枠上にパレット形態等の棚板が配置されている。棚板は、例えば、２段に設けられるが、収納物品が小さく高さが無い場合は収納スペースが無駄になり、そのような場合には柱に別途金属製の棚板支持具を取り付け、それに係止するようにして補助的に棚板を設けることで対応している。この棚板支持具は通常柱にクランプと呼ばれる取り付け部材を介して取り付けられるが、従来品の場合そのクランプへの取り付けに手間がかかり、また、安定して取り付けられないという問題があった。
【考案の概念】
【考案が解決しようとする課題】
【０００３】  この考案では、容易に、かつ、安定して取り付けることができる棚板支持具を提供することを目的とする。
【課題を解決するための手段】
【０００４】  この考案では、ラックの支柱に装着される取り付け部材を介して取り付けられる棚板支持具であり、縦方向断面形状がコ字型である取り付け基部とその取り付け基部に連続一体の棚板支持部とを備え、前記取り付け基部が前記取り付け部材に外嵌め装着される状態で固定されて取り付けられることを特徴とする棚板支持具を提供する。
【０００５】  上記構成の棚板支持具は、縦方向断面形状がコ字型である取り付け基部が取り付け部材に外嵌め装着されて固定され取り付けられることで、その取り付け作業が棚板支持具を所定位置に安定配置した状態において容易になされ、さらに、その取り付け状態においては取り付け基部の上下方向の変位が抑えられることで安定固定される。
【０００６】  取り付け基部と棚板支持部とが折れ曲がり形状で連続し、上半部と下半部とが互いに線対称形状とされることで、上下を逆にして用いることで取り付け基部からの棚板支持部の延び出し方向が互いに異なる方向とできる。
【０００７】  取り付け基部と棚板支持部とが折れ曲がり形状で連続し、その折れ曲がり位置の近傍に支柱の角部に合致する位置決め用角部を備える構成により、取り付けの際の位置決め配置がさらに容易になされ、かつ、固定状態も安定する。
【０００８】  さらに、棚板支持具を縦方向断面形状がコ字型の鋼材が折り曲げられて形成され、その一方が取り付け基部とされその他方が棚板支持部とされてなる構成とすることで、一本の鋼材より製造容易に、かつ、コンパクトで、さらに支持強度に優れる構成の棚板支持具が得られる。すなわち、鋼材を切除し折り曲げるだけにより、縦方向断面形状がコ字型の取り付け基部を備え、かつ、縦方向断面形状がコ字型であることで強度が大きい棚板支持部を備える無駄のない構成の棚板支持具が得られる。
【考案の効果】
【０００９】  この考案によれば、容易に、かつ、安定して取り付けることができる棚板支持具が得られる。
【図面の簡単な説明】
【００１０】
【図１】  この考案の棚板支持具の実施形態の取り付け状態の斜視図
【図２】  この考案の棚板支持具の実施形態の内面側斜視図
【図３】  この考案の棚板支持具の実施形態の取り付け説明図
【図４】  この考案の棚板支持具の実施形態の取り付け状態の平面図
【図５】  この考案の棚板支持具の実施形態の取り付け状態の断面図
【図６】  この考案の棚板支持具の実施形態のラックでの使用形態を示す平面略図
【考案を実施するための形態】
【００１１】  図１はこの考案の棚板支持具の取り付け状態の斜視図、図２は棚板支持具の内面側斜視図である。棚板支持具１は縦方向断面形状がコ字型の鋼材の端部が略４５度折り曲げられて形成され、上半部と下半部とが互いに線対称形状であり、その端部側が取り付け基部２となりその他方側が棚板支持部３となっている。取り付け基部２の固定面４には上下方向に２個の固定穴６が、横方向に２個の位置決め嵌合穴８がそれぞれ設けられている。取り付け基部２の上下において相対する水平部９のそれぞれは切り欠かれることで細幅となっており、その切り欠き加工によって折り曲げ位置には一対の位置決め用角部１０がそれぞれ形成されている。
【００１２】  棚板支持具１の取り付けは、図３に示すように、取り付け基部２がラックの支柱１１に取り付けられたクランプ（取り付け部材）１２の側部１３に外嵌め装着されて行われる。その際には固定穴６それぞれにクランプ１２側から突出する固定ネジ１４それぞれが挿通されるとともに位置決め嵌合穴８それぞれにクランプ１２から突出する位置決めボス１８それぞれが嵌合され、固定ネジ１４それぞれにナット１５が締め付け固定される。
【００１３】  上記棚板支持具１の取り付け固定の作業は、取り付け基部２がクランプ１２の側部１３に外嵌め装着されるとともに、位置決め嵌合穴８それぞれに位置決めボス１８それぞれが嵌合された状態おいて固定ネジ１４にナット１５が締め付けられて行われるので、棚板支持具１を所定位置に安定配置した状態において容易になされる。
【００１４】  図４は棚板支持具１の取り付け状態の平面図、図５は同断面図である。その取り付け状態においては、取り付け基部２がクランプ１２の側部１３に外嵌め装着されることで上下方向の変位が確実に抑えられるとともに、位置決め用角部１０のそれぞれが支柱１１の角部１７に合致することで水平位置における変位も確実に抑えられ、これにより棚板支持具１は所定の位置に安定固定される。
【００１５】  図６は棚板支持具１のラックＲでの使用形態を示す平面略図であり、４本の支柱１１それぞれに取り付けられており、棚板支持具１のそれぞれは棚板支持部３側がラックＲの中心位置を向くように配置され、これら棚板支持具１上に棚板Ｔが載置される。その際、隣接する支柱１１に取り付けられる棚板支持具１のそれぞれは棚板支持部３の延び出し方向が互いに向き合う方向となるが、棚板支持具１を上半部と下半部とが互いに線対称形状としていることで、上下を逆にして用いることで１種類の棚板支持具１の使用で対応可能としている。
【符号の説明】
【００１６】１    棚板支持具
２    取り付け基部
３    棚板支持部
１１  支柱
１２  クランプ（取り付け部材）
Ｒ    ラック
【図１】
0003168934.tif 000003
【図２】
0003168934.tif 000004
【図３】
0003168934.tif 000005
【図４】
0003168934.tif 000006
【図５】
0003168934.tif 000007
【図６】
0003168934.tif 000008